(57)【要約】  【課題】  排水機能を備えるとともに放熱機能を向上したＰＯＳ端末装置を提供する。  【解決手段】  ＰＯＳ端末装置１は、分割境目部分である嵌合段部３２が上部に設けられた分割可能な筐体カバー１２と、筐体カバー１２の壁面部に設けられた開口部２０に取り付けられたディスプレイパネル８とを備える。ディスプレイパネル８は、ディスプレイ領域２１の上部で筐体カバー１２の内側へ向けて屈曲し、ディスプレイ領域２１の上部には、筐体カバー１２の内側から外側へ向かって低くなるように傾斜した傾斜領域２２が設けられている。傾斜領域２２の上端部は、筐体カバー１２の上部の嵌合段部３２の下方に位置しており、筐体カバー１２の開口部の上縁とディスプレイパネル８との間には、放熱用の通気孔と排水口を兼ねた放熱排水兼用スペース３１が設けられている。【選択図】  図１
2007272516.tif 000002
【特許請求の範囲】
【請求項１】
分割境目部分が上部に設けられた分割可能な筐体カバーと、
前記筐体カバーの壁面部に設けられた開口部に取り付けられ、ディスプレイ領域の上部で前記筐体カバーの内側へ向けて屈曲し、前記ディスプレイ領域の上部に前記筐体カバーの内側から外側へ向かって低くなるように傾斜した傾斜領域が設けられたディスプレイパネルと、
を備え、
前記傾斜領域の上端部は、前記筐体カバーの上部の分割境目部分の下方に位置しており、前記筐体カバーの開口部の上縁と前記ディスプレイパネルとの間には、放熱用の通気孔と排水口を兼ねた放熱排水兼用スペースが設けられたことを特徴とするＰＯＳ端末装置。
【請求項２】
前記筐体カバーは、互いにスライド嵌合可能な第１カバーと第２カバーに分割可能であり、前記第１カバーと前記第２カバーをスライド嵌合したときの嵌合境目部分は、前記筐体カバーの上部に設けられ、
前記ディスプレイパネルは、前記第１カバーまたは前記第２カバーの壁面部に設けられた開口部に取り付けられ、前記ディスプレイパネルの傾斜領域の上端部は、前記第１カバーと前記第２カバーの嵌合境目部分の下方に位置していることを特徴とする請求項１に記載のＰＯＳ端末装置。
【請求項３】
前記放熱排水兼用スペースには、前記筐体カバーの内部に異物が挿入されるのを防止するブロックリブが所定の間隔で設けられたことを特徴とする請求項１または請求項２に記載のＰＯＳ端末装置。
【発明の詳細な説明】
【技術分野】
【０００１】
本発明は、放熱機能と排水機能を備えたＰＯＳ端末装置に関するものである。
【背景技術】
【０００２】
ＰＯＳ端末装置（金銭登録機）は、商品の販売を行う際に、店員がその商品の販売情報等を入力する装置である。このＰＯＳ端末装置は、食堂や飲食店などの店舗のレジカウンター等に設置される。そのため、例えば、店員がレジカウンター越しにコーヒーや水など（以下、水等という）の商品の受け渡しを行うときに、誤って水等をＰＯＳ端末装置の上にこぼしてしまうことがある。ＰＯＳ端末装置の筐体の内部には、各種の電子部品等（電源ユニットやＣＰＵユニットなど）が備えられており、筐体の内部に水が入り込むのを防ぐ必要がある。そこで、従来、ＰＯＳ端末装置として、筐体の内部に水が入り込むのを防ぐ防水機能を備えたものが知られている（例えば特許文献１参照）。
【０００３】
また、ＰＯＳ端末装置には、筐体が分割可能であり、筐体を分割したときの分割境目部分が筐体の上部に設けられているものがある。このようなＰＯＳ端末装置においては、こぼれた水等が分割境目部分から筐体の内部に入り込むのを防止するために、パッキンなどのシール部材が分割境目部分に取り付けられる。また、このようなＰＯＳ端末装置では、筐体を組み合わせたときに分割境目部分で隙間が生じないように、多くの箇所で筐体がねじ止めされている。
【特許文献１】特開平１０−１７７６８１号公報（第３−４頁、第１図）
【発明の開示】
【発明が解決しようとする課題】
【０００４】
ＰＯＳ端末装置の筐体の内部には、電子部品等の発熱体が備えられているため、ＰＯＳ端末装置の筐体には、放熱用の通気孔を設ける必要がある。しかしながら、上記従来のＰＯＳ端末装置では、放熱用の通気孔を筐体の上部に設けると、その通気孔から筐体内部に水等が入り込んで防水機能が低下するという問題がある。
【０００５】
また、筐体が分割可能なＰＯＳ端末装置では、筐体の分割境目部分に取り付けて防水機能を確保するためのシール部材として、パッキンなどの別部品を用意する必要があり、その分の部品コストがかかるという問題がある。また、ＰＯＳ端末装置を組み立てるときに、パッキンの取付け作業などの作業工程数が増え、組み立て作業に手間がかかるという問題がある。また、筐体を組み立てたときに、筐体の分割境目部分で隙間が生じるのを防ぐためには、多くの箇所で筐体をねじ止めする必要があり、組み立て作業の作業性が低いという問題がある。また、ＰＯＳ端末装置のメンテナンスを行う際には、筐体を開けるために多くのねじを取り外す必要があり、メンテナンスの作業性が低いという問題があった。さらに、筐体を隙間なく組み合わせるためには、高い寸法精度が要求され、製造コストが高くなるという問題がある。また、筐体を隙間なく組み合わせたとしても、筐体内部の発熱体から発生した熱により筐体にわずかな歪みが生じ、筐体の分割境目部分に隙間が発生し、防水機能が低下することがあるという問題があった。
【０００６】
本発明は、上記従来の問題を解決するためになされたもので、排水機能を備えるとともに、放熱機能を向上したＰＯＳ端末装置を提供することを目的とする。
【課題を解決するための手段】
【０００７】
本発明のＰＯＳ端末装置は、分割境目部分が上部に設けられた分割可能な筐体カバーと、前記筐体カバーの壁面部に設けられた開口部に取り付けられ、ディスプレイ領域の上部で前記筐体カバーの内側へ向けて屈曲し、前記ディスプレイ領域の上部に前記筐体カバーの内側から外側へ向かって低くなるように傾斜した傾斜領域が設けられたディスプレイパネルと、を備え、前記傾斜領域の上端部は、前記筐体カバーの上部の分割境目部分の下方に位置しており、前記筐体カバーの開口部の上縁と前記ディスプレイパネルとの間には、放熱用の通気孔と排水口を兼ねた放熱排水兼用スペースが設けられた構成を有している。
【０００８】
この構成により、筐体の内部の発熱体（電源ユニットや電子部品等）で暖められた空気は、筐体カバーの開口部とディスプレイパネルとの間の放熱排水兼用スペースから筐体の外部へ排出される。このようにして、放熱排水兼用スペースを放熱用の通気孔として用いることにより、ＰＯＳ端末装置の放熱効率が向上する。また、熱による筐体の歪みや寸法のばらつき等によって、筐体カバーの上部の分割境目部分に隙間が生じてしまい、その隙間から筐体の内部に水等が入り込むことがある。そのような場合であっても、分割境目部分の隙間から筐体の内部に入り込んだ水等は、分割境目部分の下方に位置するディスプレイパネルの傾斜領域に受け止められ、筐体の内側から外側へ向かって流れ落ちて、放熱排水兼用スペースから筐体の外部へ排出される。このようにして、放熱排水兼用スペースを排水口として用いることにより、筐体の内部に入り込んだ水等を筐体の外部へ排出する排水機能が備えられる。
【０００９】
また、本発明のＰＯＳ端末装置では、前記筐体カバーは、互いにスライド嵌合可能な第１カバーと第２カバーに分割可能であり、前記第１カバーと前記第２カバーをスライド嵌合したときの嵌合境目部分は、前記筐体カバーの上部に設けられ、前記ディスプレイパネルは、前記第１カバーまたは前記第２カバーの壁面部に設けられた開口部に取り付けられ、前記ディスプレイパネルの傾斜領域の上端部は、前記第１カバーと前記第２カバーの嵌合境目部分の下方に位置している構成を有している。
【００１０】
この構成により、第１カバーと第２カバーの嵌合境目部分に隙間が生じ、その隙間から筐体の内部に水等が入り込んだ場合であっても、嵌合境目部分の隙間から筐体の内部に入り込んだ水等は、嵌合境目部分の下方に位置するディスプレイパネルの傾斜領域に受け止められ、筐体の内側から外側へ向かって流れ落ちて、放熱排水兼用スペースから筐体の外部へ排出される。このようにして、放熱排水兼用スペースを排水口として用いることにより、筐体の内部に入り込んだ水等を筐体の外部へ排出する排水機能が備えられる。
【００１１】
また、本発明のＰＯＳ端末装置では、前記放熱排水兼用スペースには、前記筐体カバーの内部に異物が挿入されるのを防止するブロックリブが所定の間隔で設けられた構成を有している。
【００１２】
この構成により、所定の間隔より幅広の異物（例えばコイン等）を放熱排水兼用スペースから挿入しようとした場合、異物（例えばコイン等）がブロックリブに当接する。これにより、放熱排水兼用スペースから異物（例えばコイン等）が筐体の内部に挿入されるのを防止することができる。
【発明の効果】
【００１３】
本発明は、傾斜領域の上端部が筐体カバーの上部の分割境目部分の下方に位置するディスプレイパネルと、筐体カバーの開口部の上縁とディスプレイパネルとの間に放熱用の通気孔と排水口を兼ねた放熱排水兼用スペースとを設けることにより、排水機能を備えるとともに放熱機能が向上するという効果を有するＰＯＳ端末装置を提供することができるものである。
【発明を実施するための最良の形態】
【００１４】
以下、本発明の実施の形態のＰＯＳ端末装置について、図面を用いて説明する。本実施の形態では、食堂や飲食店のレジカウンター等に対面式で設置されるＰＯＳ端末装置の場合を例示する。
【００１５】
本発明の実施の形態のＰＯＳ端末装置を図１〜図９に示す。図１は、本実施の形態のＰＯＳ端末装置１の概略構成を示す断面図である。図２は、ＰＯＳ端末装置１の顧客側からみた斜視図であり、図３は、ＰＯＳ端末装置１の店員側からみた斜視図である。図１〜図３に示すように、ＰＯＳ端末装置１は、カスタマーディスプレイ２とＰＯＰ表示部３を有する装置本体４と、装置本体４の上部にヒンジ５を介して上下回動自在に取り付けられるタッチパネル６を備えている。
【００１６】
タッチパネル６は、店員が商品を販売する際にその商品の販売情報等（商品名や価格等の情報）を入力するものである。カスタマーディスプレイ２は、液晶表示器７とディスプレイパネル８で構成されており、カスタマーディスプレイ２には、顧客が購入した商品の価格等が表示される。ＰＯＰ表示部３には、顧客に対してＰＯＰ（Point Of Purchase）を表示するためのＰＯＰ表示板９が取り付けられている。カスタマーディスプレイ２は、ＰＯＰ表示部３の上部に配置されている。本実施の形態では、カスタマーディスプレイ２やＰＯＰ表示部３は、顧客側（図１における右側）を向いており、タッチパネル６は、店員側（図１における左側）を向いている。
【００１７】
図１に示すように、装置本体４の筐体１０は、ベース１１と、ベース１１上に取り付けられる筐体カバー１２で構成されている。ベース１１は、平面視で略四角形状であり、筐体カバー１２は、側面視で略Ｌ字形状である。筐体カバー１２は、ベース１１の顧客側（図１における右側）に取り付けられるフロントカバー１３と、フロントカバー１３の裏側に取り付けられるリアカバー１４と、ベース１１の店員側（図１における左側）の上部を覆うベースカバー１５で構成されている。すなわち、筐体カバー１２は、フロントカバー１３とリアカバー１４とベースカバー１５に分割可能であるともいえる。ここでは、フロントカバー１３が、本発明の第１カバーに相当し、リアカバー１４が、本発明の第２カバーに相当する。
【００１８】
図４は、装置本体４の概略構成を示す分解斜視図である。図４に示すように、装置本体４の筐体１０の内部には、アルミニウム製のフレーム１６が備えられている。そして、フレーム１６には液晶表示器７や電源ユニット１７やＣＰＵユニット１８などの発熱体が取り付けられている（図１参照）。なお、図４では、ベースカバー１５の図示が省略されている。本実施の形態では、筐体１０の内部において、筐体カバー１２とフレーム１６との間に、発熱体によって暖められた空気が通ることのできる通気路１９が設けられている。図１では、筐体１０の内部における空気の流れが黒い矢印で示されている。図１に示すように、発熱体によって暖められた空気は、筐体１０の内部を上昇して、通気路１９を通って筐体１０の上部へ向かう。なお、本実施の形態では、筐体１０の材料として、例えばＡＢＳ（アクリロニトリル・ブタジエン・スチレン）やＰＣ（ポリカーボネイト）等の合成樹脂が使用される。
【００１９】
図５は、フロントカバー１３にディスプレイパネル８を取り付ける前の状態を示す裏面側からの分解斜視図であり、図６は、フロントカバー１３にディスプレイパネル８を取り付けた状態を示す裏面側からの斜視図である。図５および図６に示すように、フロントカバー１３の略垂直な壁面部の上部には、略四角形状の開口部２０が設けられている。そして、ディスプレイパネル８はフロントカバー１３の開口部２０に裏側（筐体１０の内側）から取り付けられている。なお、本実施の形態では、ディスプレイパネル８の材料として、例えばアクリル等の透明な樹脂が使用される。
【００２０】
図１、図５および図６に示すように、ディスプレイパネル８の中央部および下半部には、平板状のディスプレイ領域２１が設けられている。ディスプレイ領域２１の内側（図１における左側）には、液晶表示器７が配置されている。このようにして、カスタマーディスプレイ２は、透明なディスプレイパネル８を通して液晶表示器７の表示を見ることができるように構成されている。
【００２１】
また、ディスプレイパネル８は、ディスプレイ領域２１の上部において、筐体１０の内側（図１における左側）へ向けて屈曲している。そして、ディスプレイパネル８のディスプレイ領域２１の上部には、筐体１０の内側（図１における左側）から外側（図１における右側）へ向かって徐々に低くなるように傾斜した傾斜領域２２が設けられている。本実施の形態では、ディスプレイパネル８の傾斜領域２２の先端（図１における左端）が、後述するフロントカバー１３とリアカバー１４の上側の嵌合境目部分の下方に位置している（図１参照）。
【００２２】
図４〜図６に示すように、フロントカバー１３の上部裏側には、ディスプレイパネル８をフロントカバー１３に固定するための３つねじ孔２３が設けられている。フロントカバー１３の開口部２０の周縁の上部裏側には、複数のブロックリブ２４がそれぞれ所定の間隔で設けられている。また、フロントカバー１３の開口部２０の周縁の下部裏側には、ディスプレイパネル８を取り付けるための差込み凹部２５が設けられている。また、本実施の形態では、フロントカバー１３の下部には、フロントカバー１３をベース１１に取り付けるためのねじ挿通孔２６が１つ設けられている。
【００２３】
一方、ディスプレイパネル８の上部には、フロントカバー１３のねじ孔２３に対応する位置に、ねじ挿通孔２７を有する３つの取付け片２８が上方に向けて突出して設けられている。また、ディスプレイパネル８の上部には、複数のブロックリブ２４にそれぞれ対応する位置に、複数のリブ嵌合凹部２９がそれぞれ所定の間隔で設けられている。また、ディスプレイパネル８の下部には、フロントカバー１３の差込み凹部２５に対応する位置に、３つの差込み片３０が下方に向けて突出して設けられている。
【００２４】
ディスプレイパネル８がフロントカバー１３に取り付けられた状態では、図６に示すように、ディスプレイパネル８の差込み片３０がフロントカバー１３の差込み凹部２５に差し込まれており、ディスプレイパネル８の取付け片２８のねじ挿通孔２７を介してフロントカバー１３のねじ孔２３にねじ止めされている。このとき、フロントカバー１３のブロックリブ２４の下部は、ディスプレイパネル８のリブ嵌合凹部２９に嵌合している。
【００２５】
そして、ディスプレイパネル８がフロントカバー１３に裏面側から取り付けられた状態では、図１に示すように、フロントカバー１３の開口部２０の上縁とディスプレイパネル８との間には、放熱排水兼用スペース３１が設けられている。後述するように、この放熱排水兼用スペース３１は、放熱用の通気孔として用いられるとともに、排水口として用いられる。すなわち、放熱排水兼用スペース３１は、放熱用の通気孔と排水口を兼ねている。
【００２６】
図７は、フロントカバー１３をリアカバー１４にスライド嵌合する前の状態を示す断面図である。図８は、フロントカバー１３をリアカバー１４にスライド嵌合した後の状態を示す断面図である。なお、図７および図８では、説明の便宜のため、ヒンジ５やタッチパネル６等の図示は省略されている。
【００２７】
図７および図８に示すように、リアカバー１４の上部の先端（図７および図８における右端）には、フロントカバー１３を上側からスライド嵌合したときに嵌合する嵌合段部３２が形成されている。本実施の形態では、フロントカバー１３をリアカバー１４に上側からスライド嵌合した状態で、フロントカバー１３の先端（図７および図８における左端）が、リアカバー１４の嵌合段部３２に嵌合して受止されている。そして、フロントカバー１３の下部のねじ挿通孔２６を介して、フロントカバー１３がベース１１にねじ３３で固定される。
【００２８】
ここでは、リアカバー１４の嵌合段部３２が、本発明の嵌合境目部分に相当する。この嵌合境目部分は、フロントカバー１３とリアカバー１４をスライド嵌合したときの合わせ目であるともいえる。また、筐体カバー１２は、嵌合境目部分でフロントカバー１３とリアカバー１４に分割することができる。したがって、この嵌合境目部分は、フロントカバー１３とリアカバー１４を分割したときの分割境目部分であるともいえる。
【００２９】
以上のように構成されたＰＯＳ端末装置１について、図面を用いてその動作を説明する。ここでは、特にＰＯＳ端末装置１の放熱機能と排水機能について説明する。なお、図面中では、暖められた空気の流れが黒い矢印で示されており、ＰＯＳ端末装置１の上にこぼれた水等の流れが白い矢印で示されている。
【００３０】
まず、本発明の実施の形態のＰＯＳ端末装置１の放熱機能について説明する。ＰＯＳ端末装置１の内部において、液晶表示器７や電源ユニット１７やＣＰＵユニット１８などの発熱体が通電によって発熱すると、これらの発熱体の近くの空気が暖められる。そして、これらの発熱体によって暖められた空気は、筐体１０の内部の通気路１９を通って、筐体１０の上部へ向かう（図１参照）。
【００３１】
そして、図１において黒矢印で示すように、暖められた空気は、フロントカバー１３の開口部２０の上縁とディスプレイパネル８との間の放熱排水兼用スペース３１を通って、筐体１０の外部へ排出される。このようにして、放熱排水兼用スペース３１からＰＯＳ端末装置１の放熱が行われる。
【００３２】
つぎに、本実施の形態のＰＯＳ端末装置１の排水機能について説明する。例えば、店員がレジカウンター越しに水等（コーヒーや水など）の商品の受け渡しをする際に、誤って水等をＰＯＳ端末装置１の上にこぼしてしまうことがある。ＰＯＳ端末装置１のフロントカバー１３とリアカバー１４の嵌合境目部分は、通常は隙間なく嵌合しているので、こぼれた水が筐体１０の内部に入り込むことはない。
【００３３】
ところが、図９に示すように、筐体１０の内部の発熱体から発生した熱によって筐体１０にわずかな歪みが生じ、その結果、フロントカバー１３とリアカバー１４の嵌合境目部分で隙間Ｓができることがある。また、フロントカバー１３やリアカバー１４の寸法精度が低いと、フロントカバー１３とリアカバー１４をスライド嵌合したときの嵌合境目部分に隙間Ｓができることがある。
【００３４】
そのような場合であっても、図９において白矢印で示すように、フロントカバー１３とリアカバー１４の嵌合境目部分の隙間Ｓから入り込んだ水等は、嵌合境目部分の下方に位置するディスプレイパネル８の傾斜領域２２に受止められる。そして、ディスプレイパネル８の傾斜領域２２の上を内側（図９における左側）から外側（図９における右側）へ向かって流れ落ちて、放熱排水兼用スペース３１から筐体１０の外部へ排出される。このようにして、放熱排水兼用スペース３１からＰＯＳ端末装置１の排水が行われる。
【００３５】
このような発明の実施の形態のＰＯＳ端末装置１によれば、傾斜領域２２の上端（図１における左端）が筐体カバー１２の上部の嵌合境目部分の下方に位置するディスプレイパネル８と、筐体カバー１２の開口部２０の上縁とディスプレイパネル８との間に放熱用の通気孔と排水口を兼ねた放熱排水兼用スペース３１を設けることにより、排水機能を備えるとともに放熱機能が向上することができる。
【００３６】
すなわち、本実施の形態では、筐体１０の内部の発熱体（液晶表示器７や電源ユニット１７やＣＰＵユニット１８等）で暖められた空気は、筐体カバー１２の開口部２０とディスプレイパネル８との間の放熱排水兼用スペース３１から筐体１０の外部へ排出される。このようにして、放熱排水兼用スペース３１を放熱用の通気孔として用いることにより、ＰＯＳ端末装置１の放熱効率が向上する。
【００３７】
また、熱による筐体１０の歪みや寸法のばらつき等によって、フロントカバー１３とリアカバー１４の嵌合境目部分に隙間Ｓが生じてしまい、その隙間Ｓから筐体１０の内部に水等が入り込むことがある。そのような場合であっても、嵌合境目部分の隙間Ｓから筐体１０の内部に入り込んだ水等は、嵌合境目部分の下方に位置するディスプレイパネル８の傾斜領域２２に受け止められ、筐体１０の内側から外側へ向かって流れ落ちて、放熱排水兼用スペース３１から筐体１０の外部へ排出される。このようにして、放熱排水兼用スペース３１を排水口として用いることにより、筐体１０の内部に入り込んだ水等を筐体１０の外部へ排出する排水機能が備えられる。
【００３８】
この場合、従来のようにパッキン等のシール部材を別途用意する必要がないので、部品コストを削減することができる。また、パッキン等のシール部材を用いる必要がないので、組み立て作業のときの作業工程数を減らすことができ、組み立て作業の手間を削減することができる。また、筐体１０を組み立てるときにねじ止めする箇所が少なくて済み、組み立て作業やメンテナンス作業のときの作業性が向上する。また、筐体１０に高い寸法精度が要求されないので、製造コストを低く抑えることができる。
【００３９】
また、本実施の形態では、放熱排水兼用スペース３１に所定の間隔でブロックリブ２４が設けられている。そのため、所定の間隔より幅広の異物（例えばコイン等）を放熱排水兼用スペース３１から挿入しようとした場合に、異物（例えばコイン等）がブロックリブ２４に当接する。これにより、放熱排水兼用スペース３１から異物（例えばコイン等）が筐体１０の内部に挿入されるのを防止することができる。例えば、放水排水兼用スペース３１からコイン等を挿入しようとする悪戯を防止することができる。
【００４０】
以上、本発明の実施の形態を例示により説明したが、本発明の範囲はこれらに限定されるものではなく、請求項に記載された範囲内において目的に応じて変更・変形することが可能である。
【産業上の利用可能性】
【００４１】
以上のように、本発明にかかるＰＯＳ端末装置は、排水機能を備えるとともに放熱機能が向上するという効果を有し、食堂や飲食店のレジカウンターなどに対面式で設置されるＰＯＳ端末装置等として有用である。
【図面の簡単な説明】
【００４２】
【図１】本発明の実施の形態におけるＰＯＳ端末装置の概略構成を示す断面図
【図２】本発明の実施の形態におけるＰＯＳ端末装置の顧客側からの斜視図
【図３】本発明の実施の形態におけるＰＯＳ端末装置の店員側からの斜視図
【図４】本発明の実施の形態におけるＰＯＳ端末装置の概略構成を示す分解斜視図
【図５】本発明の実施の形態におけるフロントカバーとディスプレイパネルの分解斜視図
【図６】本発明の実施の形態におけるフロントカバーとディスプレイパネルの斜視図
【図７】本発明の実施の形態におけるＰＯＳ端末装置（スライド嵌合前）の拡大断面図
【図８】本発明の実施の形態におけるＰＯＳ端末装置（スライド嵌合後）の拡大断面図
【図９】本発明の実施の形態におけるＰＯＳ端末装置（歪み発生時）の拡大断面図
【符号の説明】
【００４３】
１  ＰＯＳ端末装置
２  カスタマーディスプレイ
７  液晶表示器
８  ディスプレイパネル
１０  筐体
１１  ベース
１２  筐体カバー
１３  フロントカバー
１４  リアカバー
１５  ベースカバー
１９  通気路
２０  開口部
２１  ディスプレイ領域
２２  傾斜領域
２４  ブロックリブ
３１  放熱排水兼用スペース
３２  嵌合段部
【図１】
2007272516.tif 000003
【図２】
2007272516.tif 000004
【図３】
2007272516.tif 000005
【図４】
2007272516.tif 000006
【図５】
2007272516.tif 000007
【図６】
2007272516.tif 000008
【図７】
2007272516.tif 000009
【図８】
2007272516.tif 000010
【図９】
2007272516.tif 000011
【手続補正書】
【提出日】平成18年4月5日(2006.4.5)
【手続補正１】
【補正対象書類名】図面
【補正対象項目名】全図
【補正方法】変更
【補正の内容】
【図１】
2007272516.tif 000012
【図２】
2007272516.tif 000013
【図３】
2007272516.tif 000014
【図４】
2007272516.tif 000015
【図５】
2007272516.tif 000016
【図６】
2007272516.tif 000017
【図７】
2007272516.tif 000018
【図８】
2007272516.tif 000019
【図９】
2007272516.tif 000020